(57)【要約】【課題】床材における、敷設面に対する損傷低減機能及び不陸追随機能を高める。【解決手段】床材２の床材本体１０の底部から下方へ脚部３０を突出させる。脚部３０の周壁３１を、下方へ向かうにしたがって縮径された円形断面とし、周壁３１の下端部を底板３２によって塞ぐ。【選択図】図１
2018003337.tif 000002
【特許請求の範囲】
【請求項１】
床材本体と、前記床材本体の底部から下方へ突出された脚部を備え、
前記脚部が、下方へ向かうにしたがって縮径された円形断面の周壁と、前記周壁の下端部を塞ぐ底板を含むことを特徴とする床材。
【請求項２】
前記周壁における前記底板とのコーナー部が、前記周壁の上端部の直径の０．１倍以上０．５倍未満の曲率半径のアールになっていることを特徴とする請求項１に記載の床材。
【請求項３】
前記曲率半径が、前記周壁の上端部の直径の０．１６倍以上０．２倍以下であることを特徴とする請求項２に記載の床材。
【発明の詳細な説明】
【技術分野】
【０００１】
本発明は、バルコニー、ベランダ、テラス等に敷設される床材に関する。特に、床材本体の底部に脚部が設けられた床材に関する。
【背景技術】
【０００２】
この種の床材は、パネル状の床材本体を備えている。床材本体の底部には脚部が設けられている（特許文献１等参照）。一般に、脚部は、下端開口の筒状になっている。かかる床材を防水シートの上に敷設すると、歩行等の動荷重が局所的に作用するため、防水シートが傷みやすい。
そこで、特許文献１の脚部は、下端部が底板によって塞がれている。これによって、防水シートなどの敷設面との接触面積を増やして荷重を分散することで敷設面の傷みを緩和している。
【先行技術文献】
【特許文献】
【０００３】
【特許文献１】特開２０１２−１７２３０４号公報
【発明の概要】
【発明が解決しようとする課題】
【０００４】
特許文献１において、底板ひいては脚部の直径を大きくすれば、防水シート等の敷設面との接触面積を一層増大でき、敷設面の損傷を一層緩和できる。一方、防水シートの継ぎ目の重なり部等の不陸部があると、脚部が斜めになることで、床材がガタつき、歩きにくくなる。また、隣接する床材どうし間の目地幅も広くなりやすい。
本発明は、かかる事情に鑑み、防水シー等の敷設面に対する損傷低減機能及び不陸追随機能を高めることができる床材を提供することにある。
【課題を解決するための手段】
【０００５】
前記課題を解決するため、本発明に係る床材は、床材本体と、前記床材本体の底部から下方へ突出された脚部を備え、
前記脚部が、下方へ向かうにしたがって縮径された円形断面の周壁と、前記周壁の下端部を塞ぐ底板を含むことを特徴とする。
【０００６】
脚部に底板を設けることによって、敷設面との接触面積を大きくでき、敷設面の損傷を防止又は抑制できる。脚部を断面円形にすることによって、どちらの方向からの力に対しても一様な変形をするようにできる。更に、脚部の周壁を下方へ向かって縮径させることによって、ストレートの場合よりも敷設面の損傷低減機能を確保しながら、敷設面の不陸追随性を高めて床材の傾きを抑えることができる。したがって、歩行時のがたつきを小さくでき、歩きやすくできる。また、目地幅の拡大を抑えることができる。逆に言うと、周壁が床材本体へ向かって拡径されているため、斜め方向からの座屈変形に対する強度が高まり、脚部を折れにくい形状にすることができる。
【０００７】
前記周壁における前記底板とのコーナー部が、前記周壁の上端部の直径の０．１倍以上０．５倍未満の曲率半径のアールになっていることが好ましい。
前記曲率半径が、前記周壁の上端部の直径の０．１６倍以上０．２倍以下であることがより好ましい。
これによって、敷設面の損傷を一層確実に防止できるとともに、歩行時のがたつきや目地幅の拡大を一層抑制できる。
【発明の効果】
【０００８】
本発明の床材によれば、敷設面に対する損傷低減機能及び不陸追随機能を高めることができる。
【図面の簡単な説明】
【０００９】
【図１】図１は、本発明の一実施形態に係る床材からなる床材敷設体の平面図である。
【図２】図２（ａ）は、前記床材を表側から見た斜視図である。図２（ｂ）は、前記床材を裏側から見た斜視図である。
【図３】図３は、図１のＩＩＩ−ＩＩＩ線に沿う、前記床材敷設体の断面図である。
【図４】図４は、図３の円部ＩＶの拡大断面図である。
【図５】図５は、図３において敷設面に不陸部がある状態を示す断面図である。
【図６】図６は、図５の円部ＶＩの拡大断面図である。
【発明を実施するための形態】
【００１０】
以下、本発明の実施形態を図面にしたがって説明する。
図１は、本発明の一実施形態に係る床材敷設体１を示したものである。床材敷設体１は複数（図では２つだけ図示）の床材２を含む。図３に示すように、バルコニー等の床面には防水シート３が敷設されている。防水シート３上に床材２が整列して敷設されている。防水シート３によって床材２のための敷設面が構成されている。
【００１１】
図１及び図２に示すように、各床材２は、パネル状の床材本体１０を備えている。床材本体１０は、表側（図１において紙面手前側）のパネル体１１と、裏側（図１において紙面奥側）のベース枠２０を含む。パネル体１１は、例えば４つ（複数）の単体パネル１２に分割されている。各単体パネル１２はほぼ正方形になっている。単体パネル１２の材質は、例えばタイルであるが、これに限られず樹脂等にて構成されていてもよい。
【００１２】
図２（ｂ）に示すように、ベース枠２０は、４つの単体パネル１２を合わせた面積の四角形になっている。ベース枠２０の材質は樹脂である。ベース枠２０と床材本体１０とは接着剤にて接着されている。ベース枠２０と床材本体１０との接合手段は、接着に限られず、ビス止めや溶着等であってもよい。ベース枠２０と床材本体１０とが樹脂等にて一体成形されていてもよい。
【００１３】
図２（ｂ）に示すように、ベース枠２０には雄嵌合部２３及び雌嵌合部２４が設けられている。雄嵌合部２３は、ベース枠２０の直交する２つの縁部に設けられている。雌嵌合部２４は、ベース枠２０の他の直交する２つの縁部に設けられている。
【００１４】
図１及び図３に示すように、隣接する２つの床材２における一方の雄嵌合部２３が他方の雌嵌合部２４に嵌合されている。これによって、前記２つの床材２どうしが連結されている。
なお、図３においては、各床材２の中間部の図示が省略されている。
【００１５】
図２（ｂ）に示すように、ベース枠２０ひいては床材本体１０の底部には、複数の脚部３０が設けられている。これら脚部３０は、床材２の面内方向に分散して配置されている。詳しくは、ベース枠２０は、縦横の格子枠部２１と斜めの両筋交い部２２を有し、これら格子枠部及び両筋交い部２２どうしの交点にそれぞれ脚部３０が配置されている。
【００１６】
図４に示すように、各脚部３０は、周壁３１と、底板３２を含む。周壁３１は、断面円形に形成され、かつ床材本体１０から下方へ突出されるにしたがって縮径されたテーパ状（円錐台形状）になっている。言い換えると、周壁３１は、床材本体１０へ向かって拡径されたテーパ状になっている。
【００１７】
周壁３１の下端部に底板３２が設けられている。底板３２によって周壁３１の下端部が塞がれている。図２（ｂ）に示すように、底板３２は、周壁３１の上端部の直径より小径の円形になっている。
なお、本明細書において、底板３２は、後記コーナー部３３を含まず、コーナー部３３よりも内側の部分を言う。
【００１８】
図４に示すように、周壁３１の下端部における底板３２とのコーナー部３３は、アールになっている。すなわち、周壁３１の下端部の外周面は、底板３２の下面へ向かってアール状に縮径されている。脚部３０の軸線と直交する方向から見た、コーナー部３３の曲率半径Ｒ３３は、好ましくは、周壁３１の上端部の直径φ３１の０．１倍以上０．５倍未満であり（φ３１×０．１≦Ｒ３３＜φ３１×０．５）、より好ましくは、周壁３１の上端部の直径の０．１６倍以上０．２倍以下である（φ３１×０．１６≦Ｒ３３≦φ３１×０．２）。
コーナー部３３の曲率半径Ｒ３３は、底板３２の直径φ３２の０．１２倍〜２．５倍程度であることが好ましい（φ３２×０．１２≦Ｒ３３≦φ３２×２．５）。
脚部３０の高さＨ３０は、周壁３１の上端部の直径φ３１の０．２倍以上２．７倍以下程度であることが好ましい（φ３１×０．２≦Ｈ３０≦φ３１×２．７）。
【００１９】
前記構成の床材２によれば、脚部３０に底板３２を設けることで、防水シート３との接触面積を大きくできる。したがって、防水シート３に局所的に荷重がかかるのを防止でき、防水シート３の損傷を防止又は抑制できる。しかも、コーナー部３３をアールにすることで、防水シート３の損傷を一層確実に防止できる。また、脚部３０を円形にすることで、どちらの方向からの力に対しても脚部３０が一様な変形をするようにできる。
【００２０】
図５及び図６に示すように、防水シート３の継ぎ目等では不陸部３ｄが形成される。不陸部３ｄ上に脚部３３が配置されると、床材２が斜めになる。一方、脚部３０のコーナー部３３を比較的大きなアールにすることによって、コーナー部３３が角張っていたり周壁３１がストレートであったりした場合（図６において二点鎖線）よりも、床材２の傾きを抑えることができる。すなわち、床材２の不陸追随性を高めることができる。したがって、床材２のガタツキを低減できる。また、図５に示すように、隣接する床材２どうし間の目地２ｅが広がるのを抑えることができる。つまりは、目地幅Ｗ２ｅを、コーナー部３３が角張っていたり周壁３１がストレートであったりした場合における目地幅Ｗ２ｅ’よりも小さくできる（Ｗ２ｅ＜Ｗ２ｅ’）。
さらに、周壁３１を床材本体１０へ向けて拡径させることによって、斜め方向からの座屈変形に対する強度を高くでき、脚部３０を折れにくい形状にすることができる。
なお、コーナー部３３を角張らせたり周壁３１をストレートにしたりする場合（図６において二点鎖線）であっても、周壁３１の直径を小さくすれば、不陸部３ｄがあっても傾きを小さくでき、目地幅Ｗ２ｅ’を小さくできるが、そうすると、防水シート３との接触面積が小さくなり、防水シート３の損傷を招きやすくなってしまう。
【００２１】
本発明は、上記実施形態に限定されるものではなく、その趣旨を逸脱しない範囲において種々の改変をなすことができる。
例えば、コーナー部３３の曲率半径Ｒ３３が、周壁３１の上端部の直径φ３１の０．１倍未満であってもよく（Ｒ３３＜φ３１×０．１）、底板３２の直径φ３２の０．１２倍未満（Ｒ３３＜φ３２×０．１２）であってもよく、或いは底板３２の直径φ３２の２．５倍超（Ｒ３３＞φ３２×２．５）であってもよい。
【産業上の利用可能性】
【００２２】
本発明は、例えばバルコニー、ベランダ、テラス等の床面に敷設される床材として適用できる。
【符号の説明】
【００２３】
１          床材敷設体
２          床材
３          防水シート（敷設面）
３ｄ        不陸部
１０        床材本体
１１        パネル体
１２        単体パネル
２０        ベース枠
２１        格子枠部
２２        両筋交い部
２３        雄嵌合部
２４        雌嵌合部
３０        脚部
３１        周壁
３３        コーナー部
３２        底板
【図１】
2018003337.tif 000003
【図２】
2018003337.tif 000004
【図３】
2018003337.tif 000005
【図４】
2018003337.tif 000006
【図５】
2018003337.tif 000007
【図６】
2018003337.tif 000008